【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
スノーボード、スキーまたは同様のもののブーツ・ビンディング用の電磁制御システムであって、
充電式バッテリと、電気式充電器と、電気スイッチと、電磁石または電磁式グリッパと、前記電磁石または電磁式グリッパを作動し、作動解除するために前記スイッチを開き、閉じるための指令の送信手段とから本質的に構成され
前記充電式バッテリ、電気式充電器、および電気スイッチのそれぞれが、スポーツをする人の衣服、ヘルメット、バックパック、ベルト、ウエスト・ポーチ、手袋、ブーツから選択された任意の地点、およびそれらのうちの幾つかについてはボードそれ自体に配置することができ、
前記電磁石または電磁式グリッパはブーツに配置され、
前記送信手段は、電気ケーブル、電磁波、または赤外線とすることができ、
前記スノーボードまたはスキーはその上側が強磁性体で完全に覆われ、したがって、前述の１つまたは複数のボードへの前記ブーツの締結が、前記電磁石または電磁式グリッパを前記強磁性体が設けられた前記１つまたは複数のボードの上側に接合させる電磁力によって実行され、その全てが、１つまたは複数の前記ボードをスポーツをする人の意思にかかわらず解放させる自動システムの存在なしに、前記ボードから前記ブーツを迅速に、快適に、遠隔式に、および自律式に分離する可能性を促進するものである、電磁制御システム。
【請求項２】
スポーツをする人の衣服のベルト、ヘルメット、またはバックパックに配置できる充電式バッテリと、
前記ベルト（１）に配置された、前記充電式バッテリの電気式または太陽電池式の充電器（２）、手動スイッチ（２３）、およびコネクタ（３）と、
ズボン（７）に配置された、前記コネクタ（３）のそれぞれに適合する第１の接続要素、２つのコネクタ（４）、およびズボンの布地に組み込まれて各第１の接続要素を前記コネクタ（４）のうちの１つに接続する２つの導体ケーブル（１５）と、
各ブーツ（５）に設けられた、前記コネクタ（４）のそれぞれに適合する第２の接続デバイス（４ｂ）、電磁石（６）、および前記第２の接続要素と前記電磁石（６）との間の接合部として働くケーブル（２０）と、
上側が強磁性体（１６）で完全に覆われたスノーボード（２２）、またはその代わりとして、それぞれ上側が強磁性体（２６）で完全に覆われた２つのスキー（２５）とを備え、
前記ボード（２２）への前記ブーツ（５）の締結が電磁力によって行われ、その作動／作動解除が前記ベルト（１）に配置された前記手動スイッチ（２３）によって手動で制御される、請求項１に記載のスノーボードのブーツ・ビンディング用の自律電磁制御システム。
【請求項３】
スポーツをする人の衣服に配置された、音声認識装置（１４）およびコマンド送信機（１３）と、
各ブーツに備えられた、充電式バッテリ（９）、チャージャ・バルブ・セット（１０）、受信機スイッチ（１１）、電磁石（６）、チャージャ・バルブ・セット（１０）と充電式バッテリ（９）とを連結するコネクタ（２１）、受信機スイッチ（１１）と充電式バッテリ（９）とを連結するコネクタ（２１ａ）、電磁石（６）と受信機スイッチ（１１）とを連結するコネクタ（２１ｂ）、および前述の電磁石（６）の間を連結する接続部と、
上側が強磁性体（１６）で完全に覆われたスノーボード（２２）、またはその代わりとして、それぞれ上側が強磁性体（２６）で完全に覆われた２つのスキー（２５）とを備え、
前記ボード（２２）またはスキー（２６）への前記ブーツ（５‘）の結合が電磁力によって行われ、その作動／作動解除が、前記音声認識装置（１４）によって検出された音声での指令によって制御され、前記送信機（１３）の命令の送信によって生成され、送信され、各ブーツ（５）の前記受信機スイッチ（１１）によって受信され、デコード化され、実行される、請求項１に記載のスノーボードのブーツ用自律電磁制御システム。
【請求項４】
スポーツをする人の手袋に組み込まれたスイッチ送信機（１２）をさらに備え、
前記ブーツの前記ボード（５’）への締結が電磁力によって行われ、その作動／作動解除がさらに、手袋の前記スイッチ送信機（１２）によって生成され送信された指令によって制御され、各ブーツ（５’）の前記受信機スイッチ（１１）によって受信され、デコードされ、実行される、請求項３に記載のスノーボードのブーツ・ビンディング用の自律電磁制御システム。
【請求項５】
スポーツをする人の衣服のベルト、ヘルメット、またはバックパックに配置できる充電式バッテリと、
前記ベルト（１）に配置された、前記充電式バッテリの電気式または太陽電池式の充電器（２）、いくつかの手動スイッチ（２３）、およびコネクタ（３）と、
ズボン（７）に配置された、前記コネクタ（３）のそれぞれに適合する第１の接続要素、２つのコネクタ（４）、およびズボンの布地に組み込まれて各第１の接続要素を前記コネクタ（４）のうちの１つに接続する２つの導体ケーブル（１５）と、
各ブーツ（５）に設けられた、前記コネクタ（４）のそれぞれに適合する第２の接続デバイス（４ｂ）、電磁石または電磁式グリッパ（６）、および前記第２の接続デバイスと前記電磁石（６）との間の接合部として働くケーブル（２０）と、
上側が強磁性体（１６）で完全に覆われたスノーボード（２２）、またはその代わりとして、それぞれ上側が強磁性体（２６）で完全に覆われた２つのスキー（２５）とを備え、
前記ボード（２２）または前記スキーへの前記ブーツ（５’）の締結が電磁力によって行われ、その作動／作動解除が前記ベルト（１）に配置された前記手動スイッチ（２３）によって手動で制御される、請求項１に記載のスノーボードのブーツ・ビンディング用の自律電磁制御システム。
【請求項６】
スポーツをする人の衣服に配置された、音声認識装置（１４）およびコマンド送信機（１３）と、
各ブーツに備えられた、充電式バッテリ（９）、チャージャ・バルブ・セット（１０）、受信機スイッチ（１１）、電磁式パッド・グリッパ（６）、前記チャージャ・バルブ・セット（１０）と前記充電式バッテリ（９）とを連結するコネクタ（２１）、受信機スイッチ（１１）と前記充電式バッテリ（９）とを連結するコネクタ（２１ａ）、電磁石（６）と受信機スイッチ（１１）とを連結するコネクタ（２１ｂ）、および前述の電磁石（６）の間を連結する接続部と、
上側が強磁性体（１６）で完全に覆われたスノーボード（２２）、またはその代わりとして、それぞれ上側が強磁性体（２６）で完全に覆われた２つのスキー（２５）とを備え、
前記ボード（２２）またはスキー（２６）への前記ブーツ（５’）の結合が電磁力によって行われ、その作動／作動解除が、前記音声認識装置（１４）によって検出された音声での指令によって制御され、命令の送信（１３）によって生成され、送信され、各ブーツ（５）の前記受信機スイッチ（１１）によって受信され、デコード化され、実行される、請求項１に記載のスノーボードのブーツ用自律電磁制御システム。
【請求項７】
スポーツをする人の手袋に組み込まれたいくつかのスイッチ送信機（１２）をさらに備え、
前記ブーツ（５’）の前述のスノーボード（２２）への締結が電磁力によって行われ、その作動／作動解除が、手袋の前記スイッチ送信機（１２）によって生成され、送信された指令によって制御され、各ブーツ（５’）の前記受信機スイッチ（１１）によって受信され、デコードされ、実行される、請求項６に記載のスキーのブーツ・ビンディング用の自律電磁制御システム。